(57)【特許請求の範囲】
【請求項１】
車両の自動変速機のミッションケースに固定されるとともに、所定の部位に接点板が形成された端子台と、
該端子台に動作可能に取り付けられるとともに、車両のセレクトレバーと連動する軸部材の挿通部が挿通可能な挿通孔が形成され、当該軸部材の回転動作に応じて前記接点板の延設方向に回動動作する操作部と、
該操作部に形成され、前記接点板上を摺動してその接触位置に応じた所定の電気的回路を形成し得る可動接点と、
前記接点板及び操作部を覆いつつ前記端子台に取り付けられ、当該接点板及び操作部を略密閉するためのカバー部材と、
を具備し、前記電気的回路に基づいて前記セレクトレバーの変速位置を検知するためのインヒビタスイッチ装置において、
前記操作部の挿通孔は、前記軸部材の挿通方向に対して中央部位が当該軸部材の挿通部の外径と略合致した内径寸法とされるとともに、当該中央部位から上下方向に対してそれぞれテーパ面が形成されつつ開口して成るものとされ、前記挿通孔の中央部位における内壁面には、前記軸部材の挿通部を挿通させる過程で押圧されて潰され得るリブが当該軸部材の挿通方向に延設され、且つ、前記軸部材の挿通部は、平坦な面及び弧状の面が側面に形成された断面小判型とされるとともに、当該挿通部の平坦な面により前記リブが押圧されて潰されることを特徴とするインヒビタスイッチ装置。
【請求項２】
前記リブは、その両端にそれぞれ傾斜面を有して成ることを特徴とする請求項１記載のインヒビタスイッチ装置。
【請求項３】
前記挿通孔に挿通された軸部材の先端と係合可能な係合孔が一端部に形成されるとともに、前記端子台に形成された位置決め用孔に挿通可能な位置決めピンを挿通させ得る挿通孔が他端部に形成された位置決め部材にて、前記端子台の前記ミッションケースに対する取付時の位置決めを行うものとされ、当該位置決め用孔は、前記位置決めピンの挿通方向に対して中央部位が当該位置決めピンの外径と略合致した内径寸法とされるとともに、当該中央部位から上下方向に対してそれぞれテーパ面が形成されつつ開口して成ることを特徴とする請求項１又は請求項２記載のインヒビタスイッチ装置。
【発明の詳細な説明】
【技術分野】
【０００１】
本発明は、セレクトレバーと連動して可動接点を接点板に沿って摺動させることにより電気信号を形成させ、当該電気的回路に基づいてセレクトレバーの変速位置を検知するためのインヒビタスイッチ装置に関するものである。
【背景技術】
【０００２】
自動車などの車両における自動変速機には、セレクトレバーの変速位置を検出すべく、通常、そのミッションケースにインヒビタスイッチ装置を構成する端子台が固定されている。かかるインヒビタスイッチ装置は、自動変速機のミッションケースに固定される端子台と、該端子台に形成された接点板と、車両のセレクトレバーと連動して接点板に沿って動作する操作部と、該操作部に形成され、接点板上を摺動してその接触位置に応じた所定の電気的回路を形成し得る可動接点とを具備していた。
【０００３】
このうち、操作部は、端子台において回動可能に取り付けられるとともに、車両のセレクトレバーと連動する軸部材を一方の開口側から挿通可能な挿通孔が形成され、当該軸部材の回転動作に応じて接点板の延設方向に可動接点が動作するよう構成されていた。また、接点板及び操作部は、カバー部材によって覆われることにより略密閉状態とされており、防水及び防塵等が図られていた。
【０００４】
而して、軸部材の動作に伴って操作部が動作すると、その可動接点の接点板との接触位置に応じて電気的回路が形成され、当該電気的回路に基づいてセレクトレバーの変速位置を検知することができるよう構成されているのである。従って、当該検知に基づき自動変速機の動力伝達経路をセレクトレバーの変速位置に対応させて制御することができる。尚、かかる先行技術は、文献公知発明に係るものでないため、記載すべき先行技術文献情報はない。
【発明の概要】
【発明が解決しようとする課題】
【０００５】
しかしながら、上記従来のインヒビタスイッチ装置においては、軸部材が挿通される操作部の挿通孔が専ら一方の側から当該軸部材を挿通可能とされている（軸部材の挿通方向が決まっている）ため、ミッションケースに対する取付面が一義的に決まってしまうという不具合があった。即ち、従来においては、ミッションケースに対してインヒビタスイッチ装置の取付面を表裏逆にして取り付けようとした場合、操作部の挿通孔に軸部材を挿通させることができないので、別個新たなインヒビタスイッチ装置を取り付けることとなってしまい、汎用性に欠けてしまうという問題があった。
【０００６】
本発明は、このような事情に鑑みてなされたもので、ミッションケースに対して取付面を表裏逆にして取り付け可能とすることができ、汎用性を向上させることができるインヒビタスイッチ装置を提供することにある。
【課題を解決するための手段】
【０００７】
請求項１記載の発明は、車両の自動変速機のミッションケースに固定されるとともに、所定の部位に接点板が形成された端子台と、該端子台に動作可能に取り付けられるとともに、車両のセレクトレバーと連動する軸部材の挿通部が挿通可能な挿通孔が形成され、当該軸部材の回転動作に応じて前記接点板の延設方向に回動動作する操作部と、該操作部に形成され、前記接点板上を摺動してその接触位置に応じた所定の電気的回路を形成し得る可動接点と、前記接点板及び操作部を覆いつつ前記端子台に取り付けられ、当該接点板及び操作部を略密閉するためのカバー部材とを具備し、前記電気的回路に基づいて前記セレクトレバーの変速位置を検知するためのインヒビタスイッチ装置において、前記操作部の挿通孔は、前記軸部材の挿通方向に対して中央部位が当該軸部材の挿通部の外径と略合致した内径寸法とされるとともに、当該中央部位から上下方向に対してそれぞれテーパ面が形成されつつ開口して成るものとされ、前記挿通孔の中央部位における内壁面には、前記軸部材の挿通部を挿通させる過程で押圧されて潰され得るリブが当該軸部材の挿通方向に延設され、且つ、前記軸部材の挿通部は、平坦な面及び弧状の面が側面に形成された断面小判型とされるとともに、当該挿通部の平坦な面により前記リブが押圧されて潰されることを特徴とする。
【０００９】
請求項２記載の発明は、請求項１記載のインヒビタスイッチ装置において、前記リブは、その両端にそれぞれ傾斜面を有して成ることを特徴とする。
【００１０】
請求項３記載の発明は、請求項１又は請求項２記載のインヒビタスイッチ装置において、前記挿通孔に挿通された軸部材の先端と係合可能な係合孔が一端部に形成されるとともに、前記端子台に形成された位置決め用孔に挿通可能な位置決めピンを挿通させ得る挿通孔が他端部に形成された位置決め部材にて、前記端子台の前記ミッションケースに対する取付時の位置決めを行うものとされ、当該位置決め用孔は、前記位置決めピンの挿通方向に対して中央部位が当該位置決めピンの外径と略合致した内径寸法とされるとともに、当該中央部位から上下方向に対してそれぞれテーパ面が形成されつつ開口して成ることを特徴とする。
【発明の効果】
【００１１】
請求項１の発明によれば、操作部の挿通孔は、軸部材の挿通方向に対して中央部位が当該軸部材の挿通部の外径と略合致した内径寸法とされるとともに、当該中央部位から上下方向に対してそれぞれテーパ面が形成されつつ開口して成るので、ミッションケースに対して取付面を表裏逆にして取り付け可能とすることができ、汎用性を向上させることができる。
【００１２】
さらに、挿通孔の中央部位における内壁面には、軸部材を挿通させる過程で押圧されて潰され得るリブが当該軸部材の挿通方向に延設されたので、挿通孔に挿通した軸部材をより強固に固定させることができる。
【００１３】
請求項２の発明によれば、リブは、その両端にそれぞれ傾斜面を有して成るので、挿通孔に対して何れの方向から軸部材を挿通させる場合であっても、容易且つスムーズに当該軸部材を挿通させることができる。
【００１４】
請求項３の発明によれば、位置決め用孔は、位置決めピンの挿通方向に対して中央部位が当該位置決めピンの外径と略合致した内径寸法とされるとともに、当該中央部位から上下方向に対してそれぞれテーパ面が形成されつつ開口して成るので、ミッションケースに対するインヒビタスイッチ装置の取り付け時において、ミッションケースに対して取付面を表裏逆にして取り付けた場合であっても、当該インヒビタスイッチ装置の位置決め作業を容易且つ精度良く行わせることができる。
【図面の簡単な説明】
【００１５】
【図１】本発明の実施形態に係るインヒビタスイッチ装置を示す斜視図
【図２】同インヒビタスイッチ装置を示す分解斜視図
【図３】同インヒビタスイッチ装置を示す分解斜視図
【図４】同インヒビタスイッチ装置を示す平面図、側面図及び裏面図
【図５】図４におけるＶ−Ｖ線断面図
【図６】同インヒビタスイッチ装置における操作部を示す裏面図及び側面図
【図７】同インヒビタスイッチ装置における操作部に形成された挿通孔を示す平面図
【図８】図７におけるＶＩＩＩ−ＶＩＩＩ線断面図
【図９】図７におけるＩＸ−ＩＸ線断面図
【図１０】同インヒビタスイッチ装置における軸部材を示す側面図および正面図
【図１１】同インヒビタスイッチ装置における挿通孔に軸部材を挿通させた状態を示す図であって、（ａ）挿通孔の一方の側の開口から軸部材を挿通させた状態、（ｂ）挿通孔の他方の側の開口から軸部材を挿通させた状態、を示す断面図
【図１２】同インヒビタスイッチ装置における端子台に形成された位置決め用孔を示す平面図
【図１３】図１２におけるＸＩＩＩ−ＸＩＩＩ線断面図
【図１４】同インヒビタスイッチ装置で用いられる位置決め部材を示す平面図
【図１５】同インヒビタスイッチ装置で用いられる位置決めピンを示す側面図及び正面図
【図１６】同インヒビタスイッチ装置における位置決め作業時の状態を示す図であって、挿通孔の一方の側の開口から軸部材を挿通させた状態のときの位置決め作業を示す断面模式図
【図１７】同インヒビタスイッチ装置における位置決め作業時の状態を示す図であって、挿通孔の他方の側の開口から軸部材を挿通させた状態のときの位置決め作業を示す断面模式図
【発明を実施するための形態】
【００１６】
以下、本発明の実施形態について図面を参照しながら具体的に説明する。
本実施形態に係るインヒビタスイッチ装置は、セレクトレバーと連動して可動接点を接点板に沿って摺動させることにより電気信号を形成させ、当該電気的回路に基づいてセレクトレバーの変速位置を検知するためのもので、図１〜１０に示すように、樹脂成形品などから成る端子台１と、金属製の接点板２と、樹脂成形品などから成る操作部３と、金属製の可動接点４と、樹脂成形品などから成るカバー部材５とから主に構成されている。
【００１７】
端子台１は、自動車等の車両が具備する自動変速機のミッションケース（不図示）に固定されるとともに、所定の部位に接点板２（図２参照）が形成されたものである。かかる接点板２は、例えば導電性の金属板をプレス等で抜き及び折り曲げ加工して所定形状（本実施形態においては、円弧状）とされたものから成り、その端部（端子部）が端子台１のコネクタ部１ｃに位置するよう設定されている。
【００１８】
これにより、外部機器等（例えばミッションケース内に配設されたコントローラ等）に形成された外部コネクタ（不図示）をコネクタ部１ｃの端子部に接続すれば、インヒビタスイッチ装置の検知信号を外部機器等に送信し得るようになっている。従って、例えば当該外部機器に送信された検知信号に基づき、自動変速機の動力伝達経路を制御することができる。
【００１９】
また、端子台１の所定部位（操作部３が組み付けられた際の当該操作部３の回動軸部３ａに対応する部位）には、表裏を貫通させた孔部１ａが形成されているとともに、ビスＮを挿通させ得る複数の挿通孔ａが形成されている。更に、端子台１の他の部位には、表裏を貫通させた位置決め用孔１ｂが形成されており、本インヒビタスイッチ装置をミッションケースに取り付ける際、当該位置決め用孔１ｂに位置決めピン１０（図１５参照）を挿通して位置決めさせ得るようになっている。尚、位置決め作業の詳細については、後述することとする。
【００２０】
操作部３は、端子台１に動作可能（本実施形態においては回動可能）に取り付けられるとともに、車両のセレクトレバーと連動する軸部材８（図１０参照）が挿通可能な挿通孔３ａａが形成され、当該軸部材８の動作に応じて接点板２の延設方向に動作（回動）するものである。より具体的には、操作部３は、図６に示すように、挿通孔３ａａが形成された回動軸部３ａと、該回動軸部３ａから側方に延設されたアーム部３ｂとから主に構成されており、回動軸部３ａを中心として回動可能に端子台１に取り付けられている。
【００２１】
この回動軸部３ａには、図７〜９に示すように、その回動軸方向に沿って挿通孔３ａａが延設されており、かかる挿通孔３ａａに軸部材８が挿通して取り付けられるようになっている。軸部材８は、例えば金属製丸棒を切削加工して所望形状とした軸状の部材から成り、セレクトレバーと連結して車両側に取り付けられるとともに、当該セレクトレバーの動作と連動して回転可能とされたもので、図１０に示すように、断面が小判型とされた挿通部８ａと、断面が円形とされた基端部８ｂと、該基端部８ｂから軸方向に突出した凸部８ｂａとから主に構成されている。
【００２２】
また、アーム部３ｂには、操作部３の回動動作に伴って接点板２上を摺動してその接触位置に応じた所定の電気的回路を形成し得る可動接点４が取り付けられている。かかる可動接点４は、図２、３に示すように、コイルバネ７の一端に当接した状態とされて組み付けられており、当該コイルバネ７にて、常時、接点板２側に付勢された状態とされている。尚、図中符号６は、コイルバネ７の他端に取り付けられたスチールボールを示しているとともに、符号ｒは、Ｏリング等のシール部材を示している。
【００２３】
カバー部材５は、接点板２及び操作部３を覆いつつ端子台１に取り付けられ、当該接点板２及び操作部３を略密閉するためのもので、操作部３を回動自在に収容させる収容凹部５ａが形成されている。かかる収容凹部５ａ内の所定部位（操作部３が組み付けられた際の当該操作部３の回動軸部３ａに対応する部位）には、表裏を貫通させた孔部５ｂが形成されているとともに、ビスＮを螺合させ得る複数のネジ穴ｂが形成されている。また、収容凹部５ａの周縁に沿って溝５ｃが形成されており、かかる溝５ｃにパッキンＰが嵌め込み可能とされている。
【００２４】
而して、シール部材ｒを介して回動軸部３ａを孔部１ａ及び孔部５ｂにそれぞれ嵌め込んだ状態で、ビスＮにて端子台１及びカバー部材５を組み付けることにより、図５に示すように、当該回動軸部３ａと孔部１ａ及び孔部５ｂの開口縁部との間のシールがシール部材ｒにてなされるとともに、パッキンＰにて収容凹部５ａのシールがなされるようになっている。これにより、収容凹部５ａ内を略密閉状態に保持することができ、当該収容凹部５ａ内の接点板２及び操作部３を略密閉することができる。尚、カバー部材５には、ボルト（不図示）を挿通可能なボルト孔５ｄが形成されており、かかるボルト孔５ｄに挿通させたボルトをミッションケース側に螺着させることにより、インヒビタスイッチ装置全体を固定可能とされている。
【００２５】
更に、回動軸部３ａを孔部１ａ及び孔部５ｂにそれぞれ嵌め込んだ状態で、ビスＮにて端子台１及びカバー部材５を組み付けることにより、図５に示すように、当該回動軸部３ａの上下面（即ち、挿通孔３ａａの一方の側の開口及び他方の側の開口）をそれぞれ孔部１ａ及び孔部５ｂを介して外部に臨ませ得るよう構成されている。これにより、軸部材８を挿通孔３ａａの一方の側の開口から挿通させ、或いは他方の側の開口から挿通させることが任意選択的に可能となっている。
【００２６】
ここで、本実施形態においては、操作部３の挿通孔３ａａは、図７〜９に示すように、軸部材８の挿通方向（挿通孔３ａａの延設方向）に対して中央部位Ａが当該軸部材８の外径と略合致した内径寸法とされるとともに、当該中央部位Ａから上下方向に対してそれぞれテーパ面Ｂ１、Ｂ２が形成されつつ開口して成る。即ち、中央部位Ａの内壁面は、軸部材８の挿通部８ａと略同一形状及び略同一寸法（但し、挿通を可能とすべく若干小さな寸法）とされており、そこから一方の側の開口及び他方の側の開口（図８における上下それぞれの開口）に向かって内径寸法を連続的に拡張しつつテーパ面Ｂ１、Ｂ２が形成されているのである。
【００２７】
これにより、図１１に示すように、軸部材８を挿通孔３ａａにおける一方の側の開口（上部開口）から挿通する場合（同図（ａ）参照）、及び挿通孔３ａａにおける他方の側の開口（下部開口）から挿通する場合（同図（ｂ）参照）の双方において、テーパ面Ｂ１、Ｂ２により挿通作業を容易とすることができるとともに、中央部位Ａと軸部材８の挿通部８ａとが合致することにより、当該中央部位Ａにて軸部材８の挿通部８ａを強固に嵌合させて固定することができる。また、本実施形態によれば、挿通孔３ａａの内壁面のうち中央部位Ａのみ寸法精度を高めれば足りることから、当該中央部位Ａによる軸部材８の挿通及び嵌合をより確実に行わせることができる。
【００２８】
更に、本実施形態においては、挿通孔３ａａの中央部位Ａにおける内壁面には、図９に示すように、軸部材８を挿通させる過程で押圧されて潰され得るリブＲが当該軸部材８の挿通方向に延設されている。これにより、軸部材８の挿通部８ａを係止させることができ、挿通孔３ａａに挿通した軸部材８をより強固に固定させることができる。尚、リブＲは、本実施形態の如く挿通孔３ａａの内壁面において複数形成されたものが好ましいが、所望位置に１つ形成したものであってもよい。
【００２９】
また、本実施形態に係るリブＲは、その両端にそれぞれ傾斜面Ｒａを有して成るものとされている。即ち、リブＲの両端は、その突出高さが連続的に低くなる如く傾斜面Ｒａが形成されており、軸部材８を挿通させる過程でリブＲを押し潰す際の初期の抵抗を小さくすることができ、スムーズな挿通作業を行わせることができるのである。これにより、挿通孔３ａａに対して何れの方向から軸部材８を挿通させる場合であっても、容易且つスムーズに当該軸部材８を挿通させることができる。
【００３０】
上記実施形態によれば、操作部３の挿通孔３ａａは、軸部材８の挿通方向に対して中央部位Ａが当該軸部材８の外径と略合致した内径寸法とされるとともに、当該中央部位Ａから上下方向に対してそれぞれテーパ面Ｂ１、Ｂ２が形成されつつ開口して成るので、軸部材８を挿通孔３ａａにおける一方の側の開口（上部開口）から挿通する場合（図１１（ａ）参照）、及び挿通孔３ａａにおける他方の側の開口（下部開口）から挿通する場合（同図（ｂ）参照）の双方において対応可能とされ、ミッションケースに対して取付面を表裏逆にして取り付け可能とすることができ、汎用性を向上させることができる。
【００３１】
即ち、本インヒビタスイッチ装置によれば、挿通孔３ａａは、軸部材８の挿通方向に対して中央部位Ａが当該軸部材８の外径と略合致した内径寸法とされるとともに、当該中央部位Ａから上下方向に対してそれぞれテーパ面Ｂ１、Ｂ２が形成されつつ開口して成るので、表面Ｆ１及び裏面Ｆ２のうち、裏面Ｆ２（端子台１の外面）をミッションケースに当接させて当該ミッションケースに対する取付面とする場合と、その表裏を逆として、表面Ｆ１（カバー部材５の外面）をミッションケースに当接させて当該ミッションケースに対する取付面とする場合との両者に対応することができるのである。
【００３２】
加えて、本実施形態におけるインヒビタスイッチ装置は、図１４に示すように、挿通孔３ａａに挿通された軸部材８の先端（挿通部８ａ）と係合可能な係合孔９ａが一端部に形成されるとともに、端子台１に形成された位置決め用孔１ｂに挿通可能な位置決めピン１０（図１５参照）を挿通させ得る挿通孔９ｂが他端部に形成された位置決め部材９にて、端子台１のミッションケースに対する取付時の位置決めを行うものとされている。
【００３３】
位置決めピン１０は、図１５に示すように、挿通孔９ｂ及び位置決め用孔１ｂに挿通可能な挿通部１０ａ（断面が円形）と、該挿通部１０ａと一体的に形成されて作業者が把持可能な大径部１０ｂ（断面が円形）とから主に構成されている。尚、位置決め部材９及び位置決めピン１０は、専らインヒビタスイッチ装置をミッションケースに取り付ける際の治具として用いられ、取り付け作業の後は取り外されるものである。
【００３４】
位置決め部材９の係合孔９ａは、軸部材８の挿通部８ａと略合致した形状及び寸法とされており、その軸部材８を挿通させた際に位置決め部材９の角度（一端から他端に向かう角度）が所定となるように設定されているとともに、挿通孔９ｂは、位置決めピン１０の挿通部１０ａと略合致した形状及び寸法とされている。これにより、図１６及び図１７に示すように、軸部材８の挿通部８ａに対して位置決め部材９の係合孔９ａを挿通させつつ、位置決めピン１０を挿通孔９ｂを介して位置決め用孔１ｂに挿通させれば、インヒビタスイッチ装置全体を設定の姿勢（取付角度）とすることができ、この状態でボルト孔５ｄにボルトを挿通して螺合させれば、ミッションケースに固定させることができる。
【００３５】
然るに、本実施形態に係る位置決め用孔１ｂは、図１２、１３に示すように、位置決めピン１０（挿通部１０ａ）の挿通方向に対して中央部位Ｃが当該位置決めピン１０の外径と略合致した内径寸法とされるとともに、当該中央部位Ｃから上下方向に対してそれぞれテーパ面Ｄ１、Ｄ２が形成されつつ開口して成る。即ち、中央部位Ｃの内壁面は、位置決めピン１０の挿通部１０ａと略同一形状及び略同一寸法（但し、挿通を可能とすべく若干小さな寸法）とされており、そこから一方の側の開口及び他方の側の開口（図１３における上下それぞれの開口）に向かって内径寸法を連続的に拡張しつつテーパ面Ｄ１、Ｄ２が形成されているのである。
【００３６】
これにより、図１１に示すように、軸部材８を挿通孔３ａａにおける一方の側の開口（上部開口）から挿通する場合（同図（ａ）参照）、及び挿通孔３ａａにおける他方の側の開口（下部開口）から挿通する場合（同図（ｂ）参照）の双方において、位置決めピン１０を位置決め用孔１ｄの他方の側の開口（下部開口）から挿通（図１６（ａ）参照）、及び一方の側の開口（上部開口）から挿通（図１６（ｂ）参照）可能とされており、インヒビタスイッチ装置をミッションケースに対して取付面を表裏逆にして取り付けた場合であっても、位置決め作業を良好に行わせることができる。
【００３７】
また、位置決めピン１０の挿通時、テーパ面Ｄ１、Ｄ２により挿通作業を容易とすることができるとともに、中央部位Ｃと位置決めピン１０の挿通部１０ａとが合致することにより、インヒビタスイッチ装置全体を精度よく設定の姿勢（取付角度）とすることができる。更に、本実施形態によれば、位置決め用孔１ｄの内壁面のうち中央部位Ｃのみ寸法精度を高めれば足りることから、当該中央部位Ｃに位置決めピン１０を挿通させた際の位置決め精度をより高めることができる。
【００３８】
このように、本実施形態によれば、位置決め用孔１ｄは、位置決めピン１０の挿通方向に対して中央部位Ｃが当該位置決めピン１０の挿通部１０ａの外径と略合致した内径寸法とされるとともに、当該中央部位Ｃから上下方向に対してそれぞれテーパ面Ｄ１、Ｄ２が形成されつつ開口して成るので、ミッションケースに対するインヒビタスイッチ装置の取り付け時において、ミッションケースに対して取付面を表裏逆にして取り付けた場合であっても、当該インヒビタスイッチ装置の位置決め作業を容易且つ精度良く行わせることができる。
【００３９】
以上、本実施形態について説明したが、本発明はこれに限定されるものではなく、ミッションケースに対するインヒビタスイッチ装置の取り付け時において、ミッションケースに対して取付面を表裏逆にして取り付けた場合であっても、他の形態の治具によって当該インヒビタスイッチ装置の位置決め作業を行わせるものとしてもよい。
【００４０】
尚、本実施形態においては、操作部３の挿通孔３ａに軸部材８を挿通させ、セレクトレバーの動作に対応させて当該軸部材８を回転させることにより、操作部３を回動させている。
【産業上の利用可能性】
【００４１】
操作部の挿通孔は、軸部材の挿通方向に対して中央部位が当該軸部材の挿通部の外径と略合致した内径寸法とされるとともに、当該中央部位から上下方向に対してそれぞれテーパ面が形成されつつ開口して成るものとされ、挿通孔の中央部位における内壁面には、軸部材の挿通部を挿通させる過程で押圧されて潰され得るリブが当該軸部材の挿通方向に延設され、且つ、軸部材の挿通部は、平坦な面及び弧状の面が側面に形成された断面小判型とされるとともに、当該挿通部の平坦な面によりリブが押圧されて潰されるインヒビタスイッチ装置であれば、外観形状が異なるもの或いは他の機能が付加されたもの等にも適用することができる。
【符号の説明】
【００４２】
１  端子台
１ｄ  位置決め用孔
２  接点板
３  操作部
３ａａ  挿通孔
４  可動接点
５  カバー部材
６  スチールボール
７  コイルバネ
８  軸部材
９  位置決め部材
１０  位置決めピン
Ｆ１  表面
Ｆ２  裏面
Ａ、Ｃ  中央部位
Ｂ１、Ｂ２、Ｄ１、Ｄ２  テーパ面
【図１】
0005557676.tif 000002
【図２】
0005557676.tif 000003
【図３】
0005557676.tif 000004
【図４】
0005557676.tif 000005
【図５】
0005557676.tif 000006
【図６】
0005557676.tif 000007
【図７】
0005557676.tif 000008
【図８】
0005557676.tif 000009
【図９】
0005557676.tif 000010
【図１０】
0005557676.tif 000011
【図１１】
0005557676.tif 000012
【図１２】
0005557676.tif 000013
【図１３】
0005557676.tif 000014
【図１４】
0005557676.tif 000015
【図１５】
0005557676.tif 000016
【図１６】
0005557676.tif 000017
【図１７】
0005557676.tif 000018